(57)【要約】【課題】  傾斜部が十分な強度を備え、梯子等の設置等が容易な立坑構造の提供。【解決手段】  立坑内壁２により土留めするようにしてなる立坑構造において、立坑内壁２は、立坑上部用ライナープレート７，７…をもって構成された立坑上部３と、上部用ライナープレート７より曲率半径及び／又は直線部長さが大きい本体部用ライナープレート１５，１５…をもって構成された立坑本体部４と、立坑上部３と立坑本体部４との間に介在され、一段又は複数段毎に曲率半径及び／又は直線部長さの異なる傾斜部用ライナープレート１６，１６…を使用して段状に形成した傾斜部５とを備え、立坑上部３、傾斜部５及び立坑本体部４を水平方向の一方に偏らせて配置し、立坑上部３、傾斜部５及び立坑本体部４を跨いで平面状に連続した作業用平面部６を備えた。【選択図】  図２
2005248636.tif 000002
【特許請求の範囲】
【請求項１】
円弧状のライナープレート又は、円弧状及び直線状のライナープレートを周方向及び上下方向に連結して立坑内壁を構築し、該立坑内壁により土留めするようにしてなる立坑構造において、
前記立坑内壁は、立坑上部用ライナープレートをもって構成された立坑上部と、前記上部用ライナープレートより曲率半径及び／又は直線部長さが大きい本体部用ライナープレートをもって構成された立坑本体部と、前記立坑上部と立坑本体部との間に介在され、一段又は複数段毎に曲率半径及び／又は直線部長さの異なる傾斜部用ライナープレートを使用して段状に形成した傾斜部とを備え、
前記立坑上部、傾斜部及び立坑本体部を水平方向の一方に偏らせて配置し、前記立坑上部、傾斜部及び立坑本体部を跨いで平面状に連続した作業用平面部を備えたことを特徴としてなる立坑構造。
【請求項２】
傾斜部用ライナープレートは、上端内縁及び下端外縁に段差用フランジをそれぞれ備え、上下に連なる曲率半径の異なる傾斜部用ライナープレートの一方の下端外縁より張り出した段差用フランジと他方の上端内縁より張り出した段差用フランジとを重ね合わせて接合するようにした請求項１に記載の立坑構造。
【請求項３】
傾斜部用ライナープレートは、段差用フランジの接合面とは反対側の面より所定の間隔を置いて立ち上げた複数の補強用プレートを備えた請求項２に記載の立坑構造。
【発明の詳細な説明】
【技術分野】
【０００１】
本発明は、主に推進工法の発進立坑や到達立坑等に使用する立坑構造に関する。
【背景技術】
【０００２】
推進工法においては、円弧状のライナープレート又は、円弧状及び直線状のライナープレートを周方向及び上下方向に連結して立坑内壁を形成し、該立坑内壁により土留めした発進立坑及び到達立坑を構築し、掘進機を発進立坑から到達立坑へ向かって掘進させ、発進立坑と到達立坑との間に連続したトンネルを構築するようになっている。
【０００３】
この発進立坑では、シールド掘削機等の機器や推進管等の建築資材の搬入、機材の組立て及び据付け等の作業を行うようになっており、一方、到達立坑では、作業を終えた掘削機の撤去作業が行われるようになっており、その為、発進立坑及び到達立坑では、搬入組立作業や撤去作業等を行うのに十分な広さを確保する必要がある。
【０００４】
しかし、施工現場の道路条件（道路幅員等）又は近隣住宅への環境を配慮して立坑上部に形成された開口部の大きさが制限される場合が多くなっている。
【０００５】
そこで、地上に開口した立坑上部を極力小さく形成するとともに、作業を行うのに十分なスペースを確保した立坑本体部を備え、その立坑上部と立坑本体部との間に斜め配置の傾斜部を介在させた立坑構造が提供されている（例えば、特許文献１を参照）。
【０００６】
この立坑構造の傾斜部は、扇状のライナープレートを上下左右方向に連結することにより、テーパ筒状に形成され、径の異なる立坑上部と立坑本体部とを接続するようになっている。
【特許文献１】特開２００３−３７８２公報
【発明の開示】
【発明が解決しようとする課題】
【０００７】
しかし、上述のように、傾斜部を扇状のライナープレートによりテーパ筒状に形成した構造では、傾斜部が上方よりかかる土圧に耐えかね、強度不足となるおそれがあった。
【０００８】
また、傾斜部を設けたことによって、立坑内壁面がオーバーハングした状態、即ち上方の壁面が内側に張り出した状態にあるので、梯子の設置や機材の搬出入に困難を伴うという問題があった。
【０００９】
そこで本発明は、上述の従来技術の問題を鑑み、傾斜部が十分な強度を備え、梯子等の設置等が容易な立坑構造の提供を目的とする。
【課題を解決するための手段】
【００１０】
上述の如き従来の問題を解決し、所期の目的を達成するための請求項１に記載の発明は、円弧状のライナープレート又は、円弧状及び直線状のライナープレートを周方向及び上下方向に連結して立坑内壁を構築し、該立坑内壁により土留めするようにしてなる立坑構造において、前記立坑内壁は、立坑上部用ライナープレートをもって構成された立坑上部と、前記上部用ライナープレートより曲率半径及び／又は直線部長さが大きい本体部用ライナープレートをもって構成された立坑本体部と、前記立坑上部と立坑本体部との間に介在され、一段又は複数段毎に曲率半径及び／又は直線部長さの異なる傾斜部用ライナープレートを使用して段状に形成した傾斜部とを備え、前記立坑上部、傾斜部及び立坑本体部を水平方向の一方に偏らせて配置し、前記立坑上部、傾斜部及び立坑本体部を跨いで平面状に連続した作業用平面部を備えた立坑構造であることを特徴とする。
【００１１】
請求項２に記載の発明は、請求項１の構成に加え、傾斜部用ライナープレートは、上端内縁及び下端外縁に段差用フランジをそれぞれ備え、上下に連なる曲率半径の異なる傾斜部用ライナープレートの一方の下端外縁より張り出した段差用フランジと他方の上端内縁より張り出した段差用フランジとを重ね合わせて連結するようにしたことを特徴とする。
【００１２】
請求項３に記載の発明は、請求項２の構成に加え、傾斜部用ライナープレートは、段差用フランジの接合面とは反対側の面より所定の間隔を置いて立ち上げた複数の補強用プレートを備えたことを特徴とする。
【発明の効果】
【００１３】
本発明に係る立坑構造は、円弧状のライナープレート又は、円弧状及び直線状のライナープレートを周方向及び上下方向に連結して立坑内壁を構築し、該立坑内壁により土留めするようにしてなる立坑構造において、前記立坑内壁は、立坑上部用ライナープレートをもって構成された立坑上部と、前記上部用ライナープレートより曲率半径及び／又は直線部長さが大きい本体部用ライナープレートをもって構成された立坑本体部と、前記立坑上部と立坑本体部との間に介在され、一段又は複数段毎に曲率半径及び／又は直線部長さの異なる傾斜部用ライナープレートを使用して段状に形成した傾斜部とを備えたことによって、傾斜部の強度が向上し、十分な土圧耐力を得ることができる。
【００１４】
また、立坑上部、傾斜部及び立坑本体部を水平方向の一方に偏らせて配置し、前記立坑上部、傾斜部及び立坑本体部を跨いで平面状に連続した作業用平面部を備えたことによって、傾斜部を有する構造であっても壁面がオーバーハングしない部分が得られ、梯子の設置や機材の搬出入等の作業を好適に行うことができる。
【００１５】
傾斜部用ライナープレートは、上端内縁及び下端外縁に段差用フランジをそれぞれ備え、上下に連なる曲率半径の異なる傾斜部用ライナープレートの一方の下端外縁より張り出した段差用フランジと他方の上端内縁より張り出した段差用フランジとを重ね合わせて連結するようにしたことによって、傾斜部の強度を高めることができるとともに、曲率半径等が異なることでできた上下傾斜部用ライナープレート間の外形差によって形成された隙間を閉鎖することができる。
【００１６】
傾斜部用ライナープレートは、段作用フランジの接合面とは反対側の面より所定の間隔を置いて立ち上げた複数の補強用プレートを備えたことによって、傾斜部の強度を好適に高めることができる。
【発明を実施するための最良の形態】
【００１７】
次に、本発明に係る立坑構造に関し図１〜図８について説明する。
【００１８】
図１、図２は、本発明に係る立坑構造を用いた立坑の概略を示す断面図である。
【００１９】
この立坑は、地中を上下方向に掘削し、掘削坑１の内面にライナープレートを周方向に連結するとともに下方向に順次連結していくことにより立坑内壁２を構築し、該立坑内壁２により土留めするようになっている。
【００２０】
立坑内壁２は、図３、図４に示すように、地上に開口した立坑上部３と、立坑上部３より外形が大きく形成された立坑本体部４と、立坑上部３と立坑本体部４との間に介在され、外形の異なる立坑上部３及び立坑本体部４とを接続する傾斜部５とをもって構成されている。
【００２１】
また、立坑内壁２は、立坑上部３、傾斜部５及び立坑本体部４を水平方向の一方（背面側）に偏らせて配置し、立坑上部３、傾斜部５及び立坑本体部４を跨いで平面状に連続した作業用平面部６を備えている。
【００２２】
立坑上部３は、複数種の立坑上部用ライナープレート７，７…を周方向及び上下方向に連結することにより、極力外形を小さくした小判型断面の筒状に形成され、地上開口部から所定の位置（地表面から深さ２〜３ｍの位置）にまで形成されている。
【００２３】
立坑上部用ライナープレート７には、円弧状のもの（Ｃ型）、直線状のもの（ストレート型）、及び円弧状の部分と直線部とが一体に形成されたもの（Ｊ型）とを使用し、各型（Ｃ型、ストレート型、Ｊ型）の立坑上部用ライナープレート７，７…を組み合わせ、千鳥配置に組立てることによって筒状に形成されるようになっている。
【００２４】
立坑上部用ライナープレート７は、図５に示すように、断面波型に形成された鋼板（波板）８と、波板８の上下縁にそれぞれ溶接等により一体に取り付けられた軸方向接合板９ａ，９ｂと、波板８の周方向両端縁にそれぞれ溶接等により一体に取り付けられた周方向接合板１０ａ，１０ｂとを備え、周方向接合板１０ａ，１０ｂが両軸方向接合板９ａ，９ｂの端部間に架け渡され、軸方向接合板９ａ，９ｂ及び周方向接合板１０ａ，１０ｂが波板８を囲む枠状に形成されている。
【００２５】
軸方向接合板９ａ，９ｂは、平板をもって各型（Ｃ型、ストレート型、Ｊ型）の形状に合わせて、円弧状、直線状又は円弧と直線とを組み合わせた形状（Ｊ字状）に形成されている。
【００２６】
また、軸方向接合板９ａ，９ｂには、所定の間隔を置いて複数のボルト挿通孔１１，１１…が形成され、ボルト挿通孔１１，１１の位置を合わせて、上下方向で対向する軸方向接合板９ｂ，９ａ同士を突き合わせ、ボルト１２をボルト挿通孔１１に通し、ボルト締めすることにより、上下方向で立坑上部用ライナープレート７，７同士が接合されるようになっている。
【００２７】
周方向接合板１０ａ，１０ｂは、矩形の平板状に形成され、所定の間隔を置いてボルト挿通孔１３，１３…が形成され、隣り合う立坑上部用ライナープレート７，７の周方向接合板同士１０ａ，１０ｂをボルト挿通孔１３の位置を合わせてつき合わせ、ボルト挿通孔１３にボルト１４を通し、ボルト締めすることにより立坑上部用ライナープレート７，７が周方向で接合されるようになっている。
【００２８】
立坑本体部４は、複数種の立坑本体部用ライナープレート１５，１５…を周方向及び上下方向に連結することにより、立坑上部３より外形の大きな小判型断面の筒状に形成されている。
【００２９】
立坑本体部用ライナープレート１５には、所定の曲率半径を有する円弧状のもの（Ｃ型）、所定の直線長さを有する直線状のもの（ストレート型）、及び円弧状の部分と直線部とが一体に形成されたもの（Ｊ型）とを使用し、各型（Ｃ型、ストレート型、Ｊ型）の立坑本体部用ライナープレート１５，１５…を組み合わせ、千鳥配置に組立てることによって筒状に形成されるようになっている。
【００３０】
立坑本体部用ライナープレート１５は、図５に示す立坑上部用ライナープレート７と略同様に構成され、曲率半径及び直線部長さが立坑上部用ライナープレート７より大きく形成されており、断面波型に形成された鋼板（波板）８と、波板８の上下縁にそれぞれ溶接等により一体に取り付けられた軸方向接合板９ａ，９ｂと、波板８の周方向両端縁にそれぞれ溶接等により一体に取り付けられた周方向接合板１０ａ，１０ｂとを備え、周方向接合板１０ａ，１０ｂが両軸方向接合板９ａ，９ｂの端部間に架け渡され、軸方向接合板９ａ，９ｂ及び周方向接合板１０ａ，１０ｂが波板８を囲む枠状に形成されている。
【００３１】
傾斜部５は、各段毎又は複数段毎に曲率半径及び直線部長さが異なる傾斜部用ライナープレート１６，１６…を、曲率半径及び直線部長さの小さいものから順に組立てることによって、下側に広がった段状に形成されるようになっている。
【００３２】
また、傾斜部５は、傾斜部用ライナープレート１６，１６…により構成された各段の傾斜部用ライナー１７ａ〜１７ｇを水平方向の一方（背面側）に偏らせて配置し、上下方向に連続した平面部を備えるように構成されており、段差上面もそれぞれ平面部の両端部が狭く形成されるようになっている。
【００３３】
傾斜部用ライナープレート１６は、円弧状のもの（Ｃ型）、直線状のもの（ストレート型）、及び円弧状の部分と直線部とが一体に形成されたもの（Ｊ型）を使用し、各型（Ｃ型、ストレート型、Ｊ型）の傾斜部用ライナープレート１６，１６…を周方向に組み合わせることよって環状の傾斜部用ライナー１７ａ〜１７ｇが形成されるようになっている。
【００３４】
尚、各傾斜部用ライナー１７ａ〜１７ｇの曲率半径及び直線部長は、各段毎に異なっており、傾斜部最上段の傾斜部用ライナー１７ａの曲率半径及び直線部長は、立坑上部３の曲率半径及び直線部長と同じに形成され、傾斜部最下段の傾斜部用ライナー１７ｇの曲率半径及び直線部長は、立坑本体部４の曲率半径及び直線部長と同じに形成されている。
【００３５】
傾斜部用ライナープレート１６は、図７に示すように、断面波型の鋼板からなる波板１８と、波板１８の上下縁に溶接等により一体に取り付けられた軸方向接合板１９ａ，１９ｂと、波板１８の周方向両端縁にそれぞれ溶接等により一体に取り付けられた周方向接合板２０ａ，２０ｂとを備え、周方向接合板２０ａ，２０ｂが両軸方向接合板１９ａ，１９ｂの端部間に架け渡され、軸方向接合板１９ａ，１９ｂ及び周方向接合板２０ａ，２０ｂが波板１８を囲む枠状に形成されている。
【００３６】
周方向接合板２０ａ，２０ｂは、矩形の平板状に形成され、所定の間隔を置いてボルト挿通孔２１，２１…が形成され、隣り合う傾斜部用ライナープレート１６，１６の周方向接合板２０ａ，２０ｂ同士をボルト挿通孔２１，２１の位置を合わせてつき合わせ、ボルト挿通孔２１にボルト２２を通し、ボルト締めすることにより傾斜部用ライナープレート１６，１６が周方向で接合されるようになっている。
【００３７】
軸方向接合板１９ａ，１９ｂは、各型（Ｃ型、ストレート型、Ｊ型）の形状に合わせて、円弧状、直線状又は円弧と直線とを組み合わせた形状に形成され、上側軸方向接合板１９ａの内縁及び下側軸方向接合板１９ｂの外縁には、それぞれ段差用フランジ２３ａ，２３ｂが一体化されている。
【００３８】
即ち、傾斜部用ライナープレート１６は、上端内縁及び下端外縁より張り出した段差用フランジ２３ａ，２３ｂを一体に備えている。
【００３９】
段差用フランジ２３ａ，２３ｂは、各段差部分上面の形状に合わせて形成され、作業用平面部６を構成する部分には、設けないようになっている。また、上下で連なる傾斜部用ライナープレート１６の段差用フランジ２３ａ，２３ｂの重なり合う部分は、同じ形状に形成されている。
【００４０】
軸方向接合板１９ａの内縁，軸方向接合板１９ｂの外縁及び上側段差用フランジ２３ａの内縁部には、それぞれ周方向に所定の間隔を置いて複数のボルト挿通孔２４，２４…が形成され、下側段差用フランジ２３ｂの外縁部には、周方向に所定の間隔をおいて複数の据付ボルト２５，２５…が下側に向けて突設されている。
【００４１】
尚、立坑上部３と同じ曲率半径及び直線部長さである傾斜部最上段の傾斜部用ライナー１７ａを構成する傾斜部用ライナープレート１６には、上側の段差用フランジ２３ａを設けず、立坑上部３の最下段を構成する各上部用ライナープレート７のボルト挿通孔１１の位置を傾斜部用ライナープレート１６の軸方向接合板１９ａに形成されたボルト挿通孔２４に合わせて、軸方向接合板９ｂ，１９ａを突き合わせ、ボルト締めすることにより、上下方向で立坑上部用ライナープレート７と傾斜部用ライナープレート１６が接合され、立坑上部３と傾斜部５とが接続されるようになっている。
【００４２】
同様に、立坑本体部と同じ曲率半径及び直線部長さである傾斜部最下段の傾斜部用ライナー１７ｇを構成する傾斜部用ライナープレート１６には、下側の段差用フランジ２３ｂを設けず、傾斜部最下段の傾斜部用ライナー１７ｇを構成する各傾斜部用ライナープレート１６のボルト挿通孔２４の位置を本体部用ライナープレート１５の軸方向接合板９ａに形成されたボルト挿通孔１１の位置に合わせて軸方向接合板１９ｂ，９ａを突き合わせ、両ボルト挿通孔１１，２４にボルトを通しボルト締めすることにより、上下方向で傾斜部用ライナープレート１６と本体部用ライナープレート１５が接合され、傾斜部５と立坑本体部４とが接続されるようになっている。
【００４３】
段差用フランジ２３ａ，２３ｂの接合面とは反対側の面には、所定の間隔をおいて段差用フランジ２３ａ，２３ｂ及びライナープレート１６の外周面又は内周面に対し直角をなすように立ち上げた複数の補強板２６，２６…が一体に形成され、補強板２６の背面部は、波板１８の頂部（谷部）に溶接等で固定されている。
【００４４】
曲率半径及び直線部長さの異なる傾斜部用ライナー１７ａ〜１７ｇの接続部、即ち傾斜部５の段差部分の構造は、図８に示すように、据付ボルト２５，２５…の位置とボルト挿通孔２４，２４…の位置及びボルト挿通孔２４，２４同士の位置とを合わせて両段差用フランジ２３ａ，２３ｂを突き合わせ、ボルト締めすることにより接合される。尚、図中符号２７は軸方向接合板間を接続するボルトである。
【００４５】
このとき、傾斜部用ライナープレート１６，１６の下側段差用フランジ２３ｂに据付ボルト２５を下向きに突出させて固定しておくことで、ボルトの締め付け作業を立坑内部より行うことができ、容易に締め付け作業を行うことができるようになっている。
【００４６】
また、傾斜部用ライナー１７ａ〜１７ｇが、各段毎に曲率半径及び直線部長さが異なることによって形成される段差部分上面に開口する隙間は、その段差部分上面の形状に合わせて形成された段差用フランジ２３ａ，２３ｂにより閉鎖されるようになっている。
【００４７】
尚、上述の実施例では、本発明に係る立坑構造を断面小判型の立坑に適用した例について説明したが、円形断面の立坑、その他の形状の立坑にも適用することができる。
【図面の簡単な説明】
【００４８】
【図１】本発明に係る立坑構造を使用した立坑の概略を示す断面図である。
【図２】同上のＡ-Ａ線断面図である。
【図３】図１中の立坑内壁の概要を示す平面図である。
【図４】同上の正面図である。
【図５】（ａ）は立坑上部用（本体部用）ライナープレートの一例を示す平面図、（ｂ）は同正面図、（ｃ）は同Ｂ-Ｂ線断面図である。
【図６】ライナープレート間の接合状態を示す断面図である。
【図７】（ａ）は傾斜部用ライナープレートの一例を示す平面図、（ｂ）は同正面図、（ｃ）は同Ｃ−Ｃ線断面図である。
【図８】図１中の傾斜部の段差部分を示す部分拡大断面図である。
【符号の説明】
【００４９】
１  掘削坑
２  立坑内壁
３  立坑上部
４  立坑本体部
５  傾斜部
６  作業用平面部
７  立坑上部用ライナープレート
８  波板
９  軸方向接合板
１０  周方向接合板
１１  ボルト挿通孔
１２  ボルト
１３  ボルト挿通孔
１４  ボルト
１５  本体部用ライナープレート
１６  傾斜部用ライナープレート
１７  傾斜部用ライナー
１８  波板
１９  軸方向接合板
２０  周方向接合板
２１  ボルト挿通孔
２２  ボルト
２３  段差用フランジ
２４  ボルト挿通孔
２５  据付ボルト
２６  補強板
２７  ボルト
【図１】
2005248636.tif 000003
【図２】
2005248636.tif 000004
【図３】
2005248636.tif 000005
【図４】
2005248636.tif 000006
【図５】
2005248636.tif 000007
【図６】
2005248636.tif 000008
【図７】
2005248636.tif 000009
【図８】
2005248636.tif 000010